(57)【要約】【課題】ファイルの裏表紙に綴じ具を取り付けることに伴う表紙幅の肥大化を抑制する。【解決手段】表表紙１１、裏表紙１３並びにこれら表表紙１１及び裏表紙１３と接合する背表紙１２を有する表紙体１に、紙葉類を綴じ止めるための綴じ具２が取り付けられたファイルであって、前記背表紙１２と前記裏表紙１３または前記表表紙１１との境界部位に、前記綴じ具２の所定部位２２、２４を収容するための収容部１５が形成されたファイルを構成した。【選択図】図６
2019034493.tif 000002
【特許請求の範囲】
【請求項１】
表表紙、裏表紙並びにこれら表表紙及び裏表紙と接合する背表紙を有する表紙体に、紙葉類を綴じ止めるための綴じ具が取り付けられたファイルであって、
前記背表紙と前記裏表紙または前記表表紙との境界部位に、前記綴じ具の所定部位を収容するための収容部が形成されたファイル。
【請求項２】
前記収容部が、前記表紙体を貫通し前記綴じ具の所定部位を通過させる貫通孔である請求項１記載のファイル。
【請求項３】
前記綴じ具が、ベース部と、ベース部に対向する押さえ部と、ベース部と押さえ部との間で両者が対向する方向に伸長する綴じ桿とを備えており、
そのベース部が前記裏表紙または前記表表紙の外表面に接合する請求項２記載のファイル。
【請求項４】
前記表紙体に、前記綴じ具とは別に、紙葉類を収納するためのポケットが取り付けられている請求項１、２または３記載のファイル。
【発明の詳細な説明】
【技術分野】
【０００１】
本発明は、表紙体に紙葉類を綴じ止めるための綴じ具を取り付けてなるファイルに関する。
【背景技術】
【０００２】
複数枚の紙葉類を綴じておくことのできるファイルの一種として、下記特許文献に開示されているような、クリアポケット（５）と綴じ具（ファスナー７）とを両備する態様のクリアファイルが公知である。このファイルは、クリアポケットを包有するファイルの裏表紙（２）の内向面に、綴じ具を追加的に装着したものである。
【０００３】
上述のように、クリアファイルに綴じ具を追加する場合、当該綴じ具を使用して綴じた紙葉類の外側縁部が表表紙（１）及び裏表紙からはみ出さないよう、表紙幅即ち表表紙及び裏表紙の左右幅寸法を拡大する必要があり、ファイル全体の外寸が肥大化するきらいがある。
【先行技術文献】
【特許文献】
【０００４】
【特許文献１】実用新案登録第３０２０９１３号公報
【発明の概要】
【発明が解決しようとする課題】
【０００５】
本発明は、ファイルの裏表紙に綴じ具を取り付けることに伴う表紙幅の肥大化を抑制することを所期の目的とする。
【課題を解決するための手段】
【０００６】
本発明では、表表紙、裏表紙並びにこれら表表紙及び裏表紙と接合する背表紙を有する表紙体に、紙葉類を綴じ止めるための綴じ具が取り付けられたファイルであって、前記背表紙と前記裏表紙または前記表表紙との境界部位に、前記綴じ具の所定部位を収容するための収容部が形成されたファイルを構成した。このようなものであれば、綴じ具の位置をできる限り背表紙に寄せることが可能となる。
【０００７】
前記収容部は、例えば、前記表紙体を貫通し前記綴じ具の所定部位を通過させる貫通孔である。
【０００８】
前記綴じ具が、ベース部と、ベース部に対向する押さえ部と、ベース部と押さえ部との間で両者が対向する方向に伸長する綴じ桿とを備えている場合、そのベース部が、前記裏表紙または前記表表紙の外表面に接合することがある。
【０００９】
本発明に係るファイルの表紙体に、前記綴じ具とは別に、紙葉類を収納するためのポケットを取り付けることも好ましい。
【発明の効果】
【００１０】
本発明によれば、背表紙に綴じ具を取り付けたファイルの表紙幅の肥大化を抑制することができる。
【図面の簡単な説明】
【００１１】
【図１】本発明の一実施形態のファイルを開いた状態を示す斜視図。
【図２】同実施形態のファイルを閉じた状態を示す斜視図。
【図３】同実施形態のファイルを開いた状態を示す平面図。
【図４】同実施形態のファイルの表紙体の平面図。
【図５】同実施形態のファイルの表紙体のＡ−Ａ線断面図。
【図６】同実施形態のファイルを閉じた状態を示す断面図。
【図７】同実施形態のファイルを開いた状態を示す断面図。
【図８】同実施形態のファイル及び綴じ具を開いた状態を示す断面図。
【図９】本発明の変形例のファイルの断面図。
【発明を実施するための形態】
【００１２】
本発明の一実施形態を、図面を参照して説明する。図１ないし図３、図６ないし図８に示すように、本実施形態のファイルは、表表紙１１、背表紙１２及び裏表紙１３を有する表紙体１に、書類その他の紙葉類を収納することのできる複数のポケット３、並びに紙葉類を綴じ止めることのできる綴じ具２を取り付けてなるものである。
【００１３】
図４に示すように、表紙体１は、例えば樹脂製の一体成形品であり、全体として略方形状をなす板状体である。表表紙１１と背表紙１２との間、背表紙１２と裏表紙１３との間には、それぞれヒンジ１４を設けている。ヒンジ１４は、表紙高さ方向、即ちファイルを立てたときの表表紙１１、背表紙１２及び裏表紙１３の上下方向に沿って延伸する凹溝である。表紙体１における、ヒンジ１４が存在する部分の厚みは、それ以外の部分（表表紙１１、背表紙１２及び裏表紙１３）の厚みよりも薄肉となる。このヒンジ１４により、表表紙１１及び裏表紙１３はそれぞれ、背表紙１２に対して、表紙高さ方向に沿って伸びる軸回りに回動することが可能となる。表表紙１１と背表紙１２との間に介在するヒンジ１４と、背表紙１２と裏表紙１３との間に介在するヒンジ１４とは、互いに略平行である。
【００１４】
表紙体１における、背表紙１２と裏表紙１３との間に介在するヒンジ１４に跨る箇所、または当該ヒンジ１４に隣接する箇所には、綴じ具２を通過させるための貫通孔１５を形成している。貫通孔１５は、表紙体１の表紙高さ方向の中間部にあって、裏表紙１３側のヒンジ１４に対して略平行に伸びる、手指を挿入し得ない程度の（幅が４ｍｍないし５ｍｍの）幅狭なスリット状をなす。本実施形態では、このスリット１５の大部分が背表紙１２における裏表紙１３に隣接する部位に所在し、極僅かながらヒンジ１４を越えて裏表紙１３まで拡張している。
【００１５】
加えて、表紙体１の裏表紙１３の内側縁部には、綴じ具２のベース部２１から突出する筒状部２５１を挿通するための挿通孔１６を穿ってある。後述するように、筒状部２５１は、綴じ具２の押さえ部２３から突出する軸部２５２とともに、紙葉類を綴じ止めるための綴じ桿２５を構成する。
【００１６】
背表紙１２と裏表紙１３との間に介在するヒンジ１４の溝の形状及び深さは全体的に略均一であり、表紙体１における当該ヒンジ１４が存在する部位の厚みは同ヒンジ１４の溝の全長に亘って略均等である。
【００１７】
これに対し、表表紙１１と背表紙１２との間に介在するヒンジ１４の溝の形状は全体的に略均一ではなく、表紙体１における当該ヒンジ１４が存在する部位の厚みは同ヒンジ１４の溝の全長に亘って略均等ではない。本実施形態では、表表紙１１と背表紙１２との間に介在するヒンジ１４の一部に、表紙体１の厚みをより薄くする薄肉部１４１を設けている。言うまでもなく、表紙体１の厚みをより薄くすることは、表紙体１（のヒンジ１４）の曲げ剛性をより低下させることを意味する。なお、同ヒンジ１４における薄肉部１４１以外の部分の溝の形状及び深さは、背表紙１２と裏表紙１３との間に介在するヒンジ１４の溝の形状及び深さに略等しい。
【００１８】
薄肉部１４１は、例えば、図５（ａ）に示すように、表紙体１の表裏即ち外表面側及び内向面側の双方に凹溝を形成することにより実現する。ヒンジ１４の薄肉部１４１以外の部分の凹溝は、表紙体１の内向面側にのみ、または外表面側にのみ形成する。あるいは、図５（ｂ）に示すように、ヒンジ１４の薄肉部１４１の溝の深さを、薄肉部１４１以外の部分の溝の深さよりも深くしても構わない。
【００１９】
本実施形態では、ちょうど上記の貫通孔１５に相対するように、表表紙１１側のヒンジ１４の表紙高さ方向の中間部を薄肉部１４１としている。貫通孔１５の一端（表紙高さ方向に沿った上端）と薄肉部１４１の一端（上端）とを結ぶ線分は、ヒンジ１４の延伸方向である表紙高さ方向に対して略直交する。同様に、貫通孔１５の他端（表紙高さ方向に沿った下端）と薄肉部１４１の他端（下端）とを結ぶ線分もまた、表紙高さ方向に対して略直交する。そして、薄肉部１４１の表紙高さ方向に沿った寸法は、貫通孔１５の表紙高さ方向に沿った寸法に略合致している。
【００２０】
ポケット３は、例えば透明または透光性を有した薄い樹脂フィルムを袋状に成形した、いわゆるクリアポケットであり、その内に一枚または複数枚の紙葉類を挿入することができる。各ポケット３の内側端は、背表紙１２における表表紙１１寄りの領域に、溶着等により固着している。
【００２１】
綴じ具２は、例えば樹脂製の一体成形品であり、ベース部２１と、ベース部２１に対向する押さえ部２３と、ベース部２１の内側端と押さえ部２３の内側端とを連結する背部２２と、ベース部２１と押さえ部２３との間で両者が対向する方向に伸長する綴じ桿２５とを備えている。
【００２２】
ベース部２１は、表紙高さ方向に拡張し、かつ表紙幅方向即ち裏表紙１３の左右方向にも展伸した薄板状をなす。このベース部２１は、表紙体１の裏表紙１３の外表面（表表紙１１と向かい合う内向面とは反対側の面）に接合する部位である。つまり、図２、図６ないし図８に示しているように、本実施形態のファイルにあっては、綴じ具２のベース部２１が表紙体１の外側に表出する。ベース部２１は、裏表紙１３に対して、接着または溶着等により固着する。ベース部２１における、裏表紙１３に接合する側の面からは、綴じ桿２５の要素となる筒状部２５１が突出している。筒状部２５１は、ベース部２１が拡張する表紙高さ方向に沿った外側部（上端部及び下端部）に位置する。既に述べた通り、この筒状部２５１は、裏表紙１３に形成した挿通孔１６に挿通されて、表紙体１の内側に突き出す。
【００２３】
背部２２は、表紙高さ方向に拡張しており、その外寸がベース部２１及び押さえ部２３よりも拡大している。この背部２２とベース部２１との間には、ヒンジ２４を設けている。ヒンジ２４は、表紙高さ方向に沿って延伸する凹溝である。綴じ具２における、ヒンジ２４が存在する部分の厚みは、それ以外の部分（ベース部２１、背部２２及び押さえ部２３）の厚みよりも薄肉となる。このヒンジ２４により、背部２２及び押さえ部２３は、ベース部２１に対して、表紙高さ方向に沿って伸びる軸回りに回動することが可能となる。
【００２４】
押さえ部２３は、背部２２から一旦背幅方向即ちベース部２１及び裏表紙１３から離れてゆく方向に迫り上がり、その後湾曲してベース部２１及び裏表紙１３と略平行となるように延出している。押さえ部２３もまた、表紙高さ方向に拡張し、かつ表紙幅方向にも展伸した薄板状をなす。但し、ベース部２１と比較して、表紙幅方向に沿った外寸がより小さい。押さえ部２３における、ベース部２１及び裏表紙１３に対向する側の面からは、綴じ桿２５の要素となる軸部２５２が突出している。軸部２５２は、押さえ部２３が拡張する表紙高さ方向に沿った外側部（上端部及び下端部）に位置する。
【００２５】
綴じ具２を使用して紙葉類を綴じる際には、まず、押さえ部２３及び背部２２を回動操作して、図８に示すように、押さえ部２３をベース部２１及び裏表紙１３から引き離す。このとき、押さえ部２３から突出している軸部２５２が、ベース部２１から突出している筒状部２５１から抜出される。その状態で、予め紙葉類に穿ってある綴じ孔に筒状部２５１を挿通するようにして、紙葉類の内側縁部をベース部２１の上に重ねて配置する。しかる後、押さえ部２３及び背部２２を回動操作して、図６または図７に示すように、押さえ部２３がベース部２１に対向する姿勢とし、かつ軸部２５２を筒状部２５１の内に挿入する。結果、筒状部２５１及び軸部２５２が綴じ桿２５となって、紙葉類がベース部２１と押さえ部２３との間に綴じ止められる。
【００２６】
表紙体１に取り付けた綴じ具２は、そのベース部２１が裏表紙１３の外表面に接合する一方で、その背部２２及び押さえ部２３が貫通孔１５を通過して裏表紙１３の内向面よりも内側に進入することとなる。貫通孔１５の内部には、綴じ具２におけるヒンジ１４及びその近傍の部位が入り込む。特に、図８に示すように表紙体１及び綴じ具２を開いている状態や、図６に示すように表紙体１及び綴じ具２を閉じている状態では、表紙体１の背表紙１２と綴じ具２の背部２２と略平行となるが、綴じ具２の背部２２が貫通孔１５に収容されることにより、表紙体１の背表紙１２と綴じ具２の背部２２とが干渉することが避けられる。
【００２７】
本実施形態では、表表紙１１、裏表紙１３並びにこれら表表紙１１及び裏表紙１３と接合する背表紙１２を有する表紙体１に、紙葉類を綴じ止めるための綴じ具２が取り付けられたファイルであって、前記背表紙１２と前記裏表紙１３との境界部位に、前記綴じ具２の所定部位（綴じ具２におけるヒンジ２４及び背部２２）を収容するための収容部（貫通孔１５）が形成されたファイルを構成した。
【００２８】
本実施形態によれば、綴じ具２をできる限り表紙体１の背表紙１２側に寄せて配置することができる。従って、綴じ具２に綴じ止めた紙葉類もまた背表紙１２に近づくことになり、表表紙１１及び裏表紙１３の表紙幅を徒に大きくとらずとも、綴じ具２に綴じた紙葉類の外側縁部が表表紙１１または裏表紙１３からはみ出すことが回避される。つまり、表表紙１１及び裏表紙１３の表紙幅をより縮小してファイル全体の寸法をコンパクト化できる。
【００２９】
また、綴じ具２のベース部２１を裏表紙１３の外表面側に露出させていることで、綴じ具２の押さえ部２３から裏表紙１３の内向面までの内寸をより大きく確保することができ、限られた背幅の内でより多くの枚数の紙葉類を綴じ具２に綴じることが可能となる。
【００３０】
並びに、本実施形態では、表紙体１における裏表紙１３側のヒンジ１４に跨って、またはこれに隣接して貫通する貫通孔１５が形成される一方、表表紙１１側のヒンジ１４の少なくとも一部に裏表紙１３側のヒンジ１４と比較して表紙体１の厚みをより薄くする薄肉部１４１が設けられている。これにより、裏表紙１３を背表紙１２に対して回動させる際の表紙体１の曲げこわさ（換言すれば、回動させるために必要な操作力）と、表表紙１１を背表紙１２に対して回動させる際の表紙体１の曲げこわさとが略均等となる。従って、裏表紙１３を開閉するときには柔らかいのに、表表紙１１を開閉するときには堅いというような違和感を使用者に与えることが回避される。
【００３１】
なお、本発明は以上に詳述した実施形態に限られるものではない。例えば、上記実施形態における、綴じ具２の所定部位２２、２４を収容するための収容部は、表紙体１を貫通する貫通孔１５であったが、図９に示すように、背表紙１２と前記裏表紙１３との境界部位に、表紙体１を貫通しない凹部１７を形成し、この凹部を綴じ具２の所定部位２２、２４を収容するための収容部とすることも可能である。図示例の凹部１７は、背表紙１２における裏表紙１３に隣接する部位に所在する。その上で、この凹部１７が存在する部分の厚みが、背表紙１２の他の部分の厚みよりも薄肉化する。
【００３２】
また、綴じ具２の所定部位２２、２４を収容するための収容部１５、１７を、背表紙１２と裏表紙１３との境界部位にではなく、背表紙１２と表表紙１１との境界部位に形成することも考えられる。この場合には、綴じ具２のベース部２１が、表表紙１１の外表面に接合することとなる。
【００３３】
その他、各部の具体的な構成は、本発明の趣旨を逸脱しない範囲で種々変形が可能である。
【符号の説明】
【００３４】
１…表紙体
１１…表表紙
１２…背表紙
１３…裏表紙
１４…ヒンジ
１４１…薄肉部
１５…収容部（貫通孔）
１７…収容部（凹部）
２…綴じ具
２１…ベース部
２２…背部
２３…押さえ部
２４…ヒンジ
２５…綴じ桿
３…ポケット
【図１】
2019034493.tif 000003
【図２】
2019034493.tif 000004
【図３】
2019034493.tif 000005
【図４】
2019034493.tif 000006
【図５】
2019034493.tif 000007
【図６】
2019034493.tif 000008
【図７】
2019034493.tif 000009
【図８】
2019034493.tif 000010
【図９】
2019034493.tif 000011